(57)【特許請求の範囲】
【請求項１】
画像表示システムであって、
印刷の指示がなされたときに、所定の通信インタフェースを介して画像データを供給する画像供給装置と、
前記画像供給装置において前記所定の通信インタフェースを介して接続される印刷装置として認識されるとともに、前記所定の通信インタフェースを介して前記画像供給装置から前記画像データを受信し、前記画像データの表す画像を表示する画像表示装置と、を備え、
前記画像供給装置は、
前記印刷の指示に応じて、前記印刷の対象となる画像を表す第１の画像データを生成する画像生成部と、
生成された前記第１の画像データを受け取って、前記画像表示装置で受信可能な第２の画像データに変換するとともに、変換された前記第２の画像データを前記所定の通信インタフェースを介して送信させるための画像データ変換処理部と、を備え、
前記画像表示装置は、
前記印刷の指示に応じて、前記画像供給装置から前記所定の通信インタフェースを介して前記第２の画像データが送信されたときに、送信された前記第２の画像データを受信するとともに、受信した前記第２の画像データを表示が可能な第３の画像データに変換する画像データ受信処理部と、
変換された前記第３の画像データに応じた画像を表示する画像表示部と、を備える、画像表示システム。
【請求項２】
請求項１記載の画像表示システムであって、
複数の前記画像表示装置を備え、
前記画像供給装置は、
前記複数の画像表示装置に対応する複数の前記画像データ変換処理部を備え、
前記画像供給装置は、前記複数の画像表示装置のうちいずれか一つの選択された画像表示装置に対応する画像データ変換処理部が、前記印刷の指示に応じて生成された前記第１の画像データを受け取って、前記選択された画像表示装置で受信可能な第２の画像データに変換するとともに、変換された前記第２の画像データを前記所定の通信インタフェースを介して前記選択された画像表示装置に送信させる、
画像表示システム。
【請求項３】
画像供給装置において所定の通信インタフェースを介して接続される印刷装置として認識されるとともに、前記画像供給装置において印刷の指示がなされたときに、前記画像供給装置から前記所定の通信インタフェースを介して供給される画像データの表す画像を表示する画像表示装置であって、
前記印刷の指示に応じて、前記画像供給装置から前記所定の通信インタフェースを介して前記画像データが前記画像表示装置に送信されたときに、送信された前記画像データを受信するとともに、受信した前記画像データを対応する画像の表示が可能な画像データに変換する画像データ受信処理部と、
前記画像データ受信処理部で変換された画像データに応じた画像を表示する画像表示部と、を備える、
画像表示装置。
【請求項４】
請求項３記載の画像表示装置であって、
前記画像表示装置は、前記画像表示部に画像を投写する投写表示機能を有するプロジェクタである、画像表示装置。
【請求項５】
画像供給装置において印刷の指示がなされたときに、前記画像供給装置から所定の通信インタフェースを介して供給された画像データの表す画像を、前記画像供給装置において前記所定の通信インタフェースを介して接続される印刷装置として認識される画像表示装置で表示する画像表示方法であって、
（ａ）前記画像供給装置において、前記印刷の指示に応じて、前記印刷の対象となる画像を表す第１の画像データを生成する工程と、
（ｂ）前記画像供給装置において、生成された前記第１の画像データを受け取って、前記第１の画像データを前記画像表示装置で受信可能な第２の画像データに変換する工程と、
（ｃ）前記画像供給装置において、変換された前記第２の画像データを前記所定の通信インタフェースを介して前記画像表示装置に送信させる工程と、
（ｄ）前記画像供給装置から前記印刷の指示に応じて前記所定の通信インタフェースを介して前記第２の画像データが送信されたときに、前記画像表示装置において、送信された前記第２の画像データを受信するとともに、受信した前記第２の画像データを表示が可能な第３の画像データに変換する工程と、
（ｅ）前記画像表示装置において、変換された前記第３の画像データに応じた画像を表示する工程と、を備える、
画像表示方法。
【請求項６】
画像供給装置において印刷の指示がなされたときに、前記画像供給装置において所定の通信インタフェースを介して接続される印刷装置として認識される画像表示装置に、前記所定の通信インタフェースを介して画像データを供給するためのコンピュータプログラムであって、
前記印刷の指示に応じて生成され、前記印刷の対象となる画像を表す第１の画像データを、前記画像表示装置で受信可能な第２の画像データに変換する機能と、
前記第２の画像データを前記所定の通信インタフェースを介して前記画像表示に送信させる機能と、
をコンピュータに実現させるためのコンピュータプログラム。
【請求項７】
請求項６記載のコンピュータプログラムを記録したコンピュータ読み取り可能な記録媒体。
【発明の詳細な説明】
【０００１】
【発明の属する技術分野】
この発明は、コンピュータから供給される画像データの表す画像を表示する技術に関する。
【０００２】
【従来の技術】
プロジェクタは画像を拡大投写できることから、講演会、発表会等のプレゼンテーションにおける資料等の表示や、各種ショップ、ショウルーム等における宣伝広告等の表示などに利用されている。
【０００３】
従来、コンピュータによって生成された画像をプロジェクタによって投写表示する場合、以下に示す２つの方式によって行われる。
【０００４】
第１は、コンピュータの映像出力端子から出力される映像信号を、プロジェクタの映像信号入力端子に入力して、コンピュータで生成される映像信号の表す画像を表示する方式である。
【０００５】
第２は、コンピュータで生成された画像をデータファイル化し、このデータファイルをメモリカード等の記憶媒体を介して、あるいはネットワーク等の種々の通信回線を介してプロジェクタに供給する。そして、供給されたデータファイルに対応するアプリケーションソフト（ビューワ）をプロジェクタにおいて実行することにより、データファイルの表す画像を再生表示する方式である。なお、ビューワとは、画像データファイルを再生表示する機能を有するソフトウェアを意味している。
【０００６】
【発明が解決しようとする課題】
しかし、上記第１の方式の場合、コンピュータの制御によりプロジェクタの表示動作が実行されるため、コンピュータの動作をプロジェクタの表示の制御動作から切り離すことができないという問題がある。
【０００７】
また、第２の方式の場合、コンピュータの動作をプロジェクタの表示の制御動作から切り離すことは可能である。しかしながら、プロジェクタが画像表示を実現するために画像データファイルに対応するビューワが必要であるという問題がある。このビューワは、供給される画像データファイルの種類に応じて、それぞれ異なったビューワが必要であり、また、画像データファイルを作成するアプリケーションのバージョンに対応するビューワが必要であるという問題もある。
【０００８】
上述のように、それぞれの方式には、それぞれの方式に依存した問題がある。このため、上記２つの方式の問題点を改善した新たな方式によるプロジェクタの画像表示の実現が望まれるところである。なお、これらの問題は、プロジェクタに限らず種々の画像表示装置に共通の問題である。
【０００９】
この発明は、従来技術における上述の課題を解決するためになされたものであり、上記２つの方式の問題点を改善した新たな方式による画像の表示技術を提供することを目的とする。
【００１０】
【課題を解決するための手段およびその作用・効果】
上述の課題の少なくとも一部を解決するため、本発明の画像表示システムは、
印刷の指示がなされたときに、所定の通信インタフェースを介して画像データを供給する画像供給装置と、
前記画像供給装置において前記所定の通信インタフェースを介して接続される印刷装置として認識されるとともに、前記所定の通信インタフェースを介して前記画像供給装置から前記画像データを受信し、前記画像データの表す画像を表示する画像表示装置と、を備え、
前記画像供給装置は、
前記印刷の指示に応じて、前記印刷の対象となる画像を表す第１の画像データを生成する画像生成部と、
生成された前記第１の画像データを受け取って、前記画像表示装置で受信可能な第２の画像データに変換するとともに、変換された前記第２の画像データを前記所定の通信インタフェースを介して送信させるための画像データ変換処理部と、を備え、
前記画像表示装置は、
前記印刷の指示に応じて、前記画像供給装置から前記所定の通信インタフェースを介して前記第２の画像データが送信されたときに、送信された前記第２の画像データを受信するとともに、受信した前記第２の画像データを表示が可能な第３の画像データに変換する画像データ受信処理部と、
変換された前記第３の画像データに応じた画像を表示する画像表示部と、を備えることを特徴とする。
【００１１】
この画像表示システムによれば、画像供給装置において、印刷の指示に応じて、印刷の対象となる画像を表す第１の画像データが画像表示装置で受信可能な第２の画像データに変換され、所定の通信インタフェースを介して画像表示装置に送信される。そして、画像表示装置において、前記印刷の指示に応じて、前記画像供給装置から前記所定の通信インタフェースを介して前記第２の画像データが送信されたときに、送信された前記第２の画像データを受信するとともに、受信された第２の画像データが、画像の表示が可能な第３の画像データに変換され、変換された第３の画像データに応じた画像が表示される。従って、従来の２つの表示方式の問題点を改善した新たな方式により、画像の表示を行うことが可能である。
【００１２】
上記画像表示システムにおいて、
複数の前記画像表示装置を備え、
前記画像供給装置は、
前記複数の画像表示装置に対応する複数の前記画像データ変換処理部を備え、
前記画像供給装置は、前記複数の画像表示装置のうちいずれか一つの選択された画像表示装置に対応する画像データ変換処理部が、前記印刷の指示に応じて生成された前記第１の画像データを受け取って、前記選択された画像表示装置で受信可能な第２の画像データに変換するとともに、変換された前記第２の画像データを前記所定の通信インタフェースを介して前記選択された画像表示装置に送信させることが好ましい。
【００１３】
この構成によれば、印刷の指示に応じて、複数の画像表示装置のうちいずれか任意に選択された１つの画像表示装置において画像を表示することが可能である。
【００１４】
本発明の画像表示装置は、画像供給装置において所定の通信インタフェースを介して接続される印刷装置として認識されるとともに、前記画像供給装置において印刷の指示がなされたときに、前記画像供給装置から前記所定の通信インタフェースを介して供給される画像データの表す画像を表示する画像表示装置であって、
前記印刷の指示に応じて、前記画像供給装置から前記所定の通信インタフェースを介して前記画像データが前記画像表示装置に送信されたときに、送信された前記画像データを受信するとともに、受信した前記画像データを対応する画像の表示が可能な画像データに変換する画像データ受信処理部と、
前記画像データ受信処理部で変換された画像データに応じた画像を表示する画像表示部と、を備えることを特徴とする。
【００１５】
この画像表示装置を本発明の画像表示システムに適用すれば、従来の２つの表示方式の問題点を改善した新たな方式により、画像の表示を行うことが可能である。
【００１６】
なお、前記画像表示装置は、前記画像表示部に画像を投写する投写表示機能を有するプロジェクタとすることが可能である。
【００１７】
なお、本発明の具体的な形態としては、画像表示システムおよび画像表示方法、画像表示装置、これらの装置または方法の機能を実現するためのコンピュータプログラム、そのコンピュータプログラムを記録したコンピュータ読み取り可能な記録媒体、そのコンピュータプログラムを含み搬送波内に具現化されたデータ信号等の種々の態様を取りうる。
【００１８】
【発明の実施の形態】
次に、本発明の実施の形態を実施例に基づいて以下の順序で説明する。
Ａ．プロジェクションシステム：
Ａ１．コンピュータＰＣの構成および動作：
Ａ２．プロジェクタＰＪの構成および動作：
Ｂ．プロジェクションシステムの応用例：
Ｃ．変形例：
Ｃ１．変形例１：
Ｃ２．変形例２：
Ｃ３．変形例３：
【００１９】
Ａ．プロジェクションシステム：
図１は、本発明の一実施例としてプロジェクションシステムの構成を示すブロック図である。このプロジェクションシステムは、画像供給装置としてのコンピュータＰＣと、画像表示装置としてのプロジェクタＰＪと、を備えている。
【００２０】
プロジェクタＰＪは、ネットワークＮＷＣを介してコンピュータＰＣに接続されている。なお、ネットワークＮＷＣには、図示しないサーバや、プリンタなど種々の電子機器が接続されている。
【００２１】
コンピュータには、パーソナルコンピュータや、モバイルコンピュータ、情報処理端末装置や、ワークステーションなど、ネットワークに接続可能な種々のコンピュータが含まれる。
【００２２】
このプロジェクションシステムでは、コンピュータＰＣにおいて実行されるアプリケーションプログラムにより画像データが生成される。生成された画像データは、後述するように、アプリケーションプログラムにおける印刷命令の発行に従って、ネットワークＮＷＣを介してプロジェクタＰＪに供給される。プロジェクタＰＪは、コンピュータＰＣから供給された画像データを処理することにより、スクリーンＳＣＲ上に画像を投写する。
【００２３】
以下では、このプロジェクションシステムにおける画像の投写表示動作について、コンピュータＰＣの構成および動作と、プロジェクタＰＪの構成および動作とに分けて説明する。
【００２４】
Ａ１．コンピュータＰＣの構成および動作：
図２は、コンピュータＰＣの画像データの生成の処理に関するソフトウェアの構成を概念的に示すブロック図である。コンピュータＰＣでは、所定のオペレーティングシステムの下で、アプリケーションプログラム１１０が動作している。オペレーティングシステムには、ビデオドライバ１２０やプロジェクションドライバ１３０の他図示しない種々のドライバが組み込まれており、これらのドライバを介して対応する各周辺装置がコントロールされる。例えば、アプリケーションプログラム１１０は、ビデオドライバ１２０を介して、モニタ１５０に画像を表示する。
【００２５】
また、アプリケーションプログラム１１０からは、後述するようにプロジェクションドライバ１３０を介して、プロジェクタＰＪに転送するためのプロジェクションデータＰＤおよび制御データＣＤを含むデータが出力されることになる。この出力データは、通信装置１４０からネットワークＮＷＣを介してプロジェクタＰＪに転送される。なお、ネットワークＮＷＣとしては、インターネットや、イントラネット、ローカルエリアネットワーク（ＬＡＮ）、ワイドエリアネットワーク（ＷＡＮ）など、各種ネットワークを適用することができる。また、通信装置１４０は、ネットワークＮＷＣの種類に応じて、モデムやターミナルアダプタ、ネットワークカードなどから構成される。
【００２６】
なお、プロジェクションドライバ１３０は、アプリケーションプログラム１１０にとって、プリンタドライバと等価なドライバとして機能し、プロジェクタＰＪは、プリンタと同等なデバイスとみなされる。
【００２７】
図３は、アプリケーションプログラム１１０がモニタ１５０に表示する印刷のダイアログボックスを示す説明図である。図３に示すダイアログボックス（メニュー画面）は、アプリケーションプログラム１１０としてＷｏｒｄ２０００（マイクロソフト社の商標）が実行されている場合の印刷のダイアログボックスの例を示している。このダイアログボックスは、Ｗｏｒｄ２０００のファイルメニューから「印刷」メニューを選択することにより表示される。ダイアログボックス上段の「プリンタ名」欄には、印刷命令発行時にアプリケーションプログラム１１０から画像データが出力される装置が示されている。複数の装置に出力が可能な場合には、「矢印ボタン」Ｂ１をクリックすることにより、「プリンタ名」欄の下側に出力可能な装置名が表示される。上述したように、プロジェクタＰＪは、プリントと同等なデバイスとみなされるので、図のようにプリンタＰＲ１，ＰＲ２と同様に、この欄に表示される。
【００２８】
図のプリンタＰＲ１やプリンタＰＲ２を選択して右下の「ＯＫボタン」Ｂ２をクリックすることにより印刷命令が発行されると、選択されたプリンタに対応するプリンタドライバがアプリケーションプログラム１１０から印刷の対象となる画像データを受け取ってその処理を実行し、選択されたプリンタに印刷データを出力する。
【００２９】
プロジェクタＰＪを選択して右下の「ＯＫボタン」Ｂ２をクリックすることにより印刷命令が発行されると、プロジェクションドライバ１３０（図２）は、アプリケーションプログラム１１０から印刷の対象となる画像（印刷対象画像）の画像データを受け取って所定の画像処理を行い、プロジェクタに供給可能なプロジェクションデータＰＤに変換する。図２に示した例では、プロジェクションドライバ１３０の内部には、解像度変換モジュール１３２と、色補正モジュール１３４と、フォーマット変換モジュール１３６と、色補正ルックアップテーブルＬＵＴと、が備えられている。各モジュールで行う画像処理の内容は以下で説明するが、プロジェクションドライバ１３０が受け取った画像データはこれらモジュールで処理された後、最終的なプロジェクションデータＰＤとして、通信装置１４０によってネットワークＮＷＣを介してプロジェクタＰＪに出力される。
【００３０】
解像度変換モジュール１３２は、アプリケーションプログラム１１０から出力される画像データの解像度（即ち、単位長さ当りの画素数）を、プロジェクタＰＪで表示可能な解像度に変換する役割を果たす。なお、画像データは、ＲＧＢの３つの色成分からなる画像情報である。色補正モジュール１３４は、色補正ルックアップテーブルＬＵＴを参照しつつ、各画素ごとに、ＲＧＢ画像データを、後述するカラー調整情報に応じた特性を有する色補正画像データに変換する。なお、色補正画像データは、例えば２５６階調の階調値を有している。この色補正画像データは、フォーマット変換モジュール１３６によりプロジェクタＰＪに転送すべきデータ順に並べ替えられ、最終的なプロジェクションデータＰＤとして出力される。
【００３１】
なお、プロジェクションドライバ１３０は、プロジェクションデータＰＤを生成する機能を実現するためのプログラムに相当する。プロジェクションドライバ１３０の機能を実現するためのプログラムは、コンピュータ読み取り可能な記録媒体に記録された形態で供給される。このような記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読み取り可能な種々の媒体を利用できる。
【００３２】
なお、図３の「プロパティボタン」Ｂ３をクリックすることにより、プロジェクタＰＪの制御情報設定画面が表示されて、種々の制御情報が設定可能である。制御情報としては、「表示解像度情報」、「印刷対象画像サイズ情報」、「カラー調整情報」、「表示レイアウト情報」、「ページ制御情報」等の種々の情報が考えられる。
【００３３】
「表示解像度情報」は、プロジェクタＰＪの表示解像度（画素数）を示す情報である。例えば、プロジェクタＰＪが複数の表示解像度による表示が可能な場合に、表示させたい解像度を設定することができる。
【００３４】
「印刷対象画像サイズ」は、アプリケーションプログラム１１０から出力される印刷対象画像のサイズ（一般的には、原稿サイズで表される）を示す情報である。
【００３５】
「カラー調整情報」は、画像の明るさ、コントラスト、彩度、色調、画像の種類等の表示画像の画質に関する種々の情報である。なお、画像の種類とは、例えば、グラフィック画像、自然画像、アニメーション画像等の違いを意味している。
【００３６】
「表示レイアウト情報」は、印刷対象画像のうち、一部の画像のみを表示させたいときに、どの部分を表示させたいかを示す情報である。
【００３７】
「ページ制御情報」は、アプリケーションプログラム１１０から出力される印刷対象の画像データが複数ページある場合に、これら複数ページの画像をどのように表示させるかを示す情報である。例えば、「表示の制御はプロジェクタ側で設定する」ことを示す情報、「自動的に一定の時間間隔で順番に表示させる」ことを示す情報、等種々の制御情報が設定可能である。
【００３８】
こうして設定される制御情報のうち、プロジェクションドライバ１３０の各処理に利用される情報は、対応するモジュールで参照される。また、プロジェクタＰＪに転送される情報は、フォーマット変換モジュール１３６より、制御データＣＤとして、プロジェクションデータＰＤとともにプロジェクタＰＪに出力される。
【００３９】
なお、以上の説明からわかるように、コンピュータＰＣによって実行されるアプリケーションプログラム１１０が本発明の画像生成部に相当し、コンピュータＰＣによって実行されるプロジェクションドライバ１３０が本発明の画像データ変換処理部に相当する。
【００４０】
Ａ２．プロジェクタＰＪの構成および動作：
図４は、プロジェクタＰＪの内部を示す概略ブロック図である。プロジェクタＰＪは、コンピュータプログラムに従って種々の処理や制御を行うためのＣＰＵ３１０と、上記コンピュータプログラムを記憶するプログラマブルＲＯＭ（ＰＲＯＭ）３２０と、処理中に得られたデータなどを記憶するためのＲＡＭ３３０と、各種周辺装置との間でデータなどのやり取りを行うためのＩ／Ｏ部３４０と、ネットワークＮＷＣを介してコンピュータＰＣと通信を行う通信装置３５０と、で構成されるプロジェクションデータ受信部３００を備えている。通信装置３５０は、コンピュータＰＣの通信装置１４０（図２）と同様に、接続されるネットワークＮＷＣの種類に応じて、モデムやターミナルアダプタ、ネットワークカードなどから構成される。また、プロジェクタＰＪは、画像を投写表示するための投写表示デバイス４２０と、投写表示デバイス４２０の動作を制御するための投写表示コントローラ４１０と、で構成される投写表示部４００を備えている。さらに、プロジェクタＰＪは、装着されたメモリカードＭＣに各種データを格納するためのメモリカードソケット３６０や、リモートコントローラ（図示しない）からのリモコン信号を受信するためのリモコン信号受信装置３７０を備えている。なお、通信装置３５０や、メモリカードソケット３６０に装着されたメモリカードＭＣ、リモコン信号受信装置３７０は、Ｉ／Ｏ部３４０を介してＣＰＵ３１０により制御される。
【００４１】
ＣＰＵ３１０は、ＰＲＯＭ３２０に格納されているプロジェクションデータレシーバプログラムを読み出して実行することによりプロジェクションデータレシーバ３２２として動作する。
【００４２】
図５は、プロジェクションデータレシーバ３２２による処理の手順を示すフローチャートである。図２のコンピュータＰＣのアプリケーションプログラム１１０によって印刷命令が発行されて、プロジェクションデータＰＤおよび制御データＣＤがプロジェクタＰＪに転送されると、プロジェクションデータレシーバ３２２は、通信装置３５０によりプロジェクションデータＰＤおよび制御データＣＤを受信する（ステップＳ１）。そして、受信したプロジェクションデータＰＤおよび制御データＣＤを、バッファメモリであるＲＡＭ３３０に格納する（ステップＳ２）。
【００４３】
つぎに、プロジェクションデータＰＤに含まれる画像データを、制御データＣＤに従って、投写表示コントローラ４１０に供給可能なフォーマットの画像データに変換する（ステップＳ３）。そして、変換した画像データを投写表示コントローラ４１０を介して、コントローラ４１０内のビデオメモリ４１２に格納する（ステップＳ４）。
【００４４】
投写表示コントローラ４１０は、ビデオメモリ４１２に格納された画像データを、投写表示デバイスに供給可能な画像データに変換しつつ、投写表示デバイス４２０に供給する。投写表示デバイス４２０は、供給された画像データの表す画像を投写表示する。
【００４５】
ここで、プロジェクションデータＰＤに複数ページの画像データが含まれている場合に、制御データＣＤに、ページ制御情報として、「自動的に切り替えて表示させる」ことを示す情報が含まれている場合には、この情報に従って、プロジェクションデータレシーバ３２２は、ステップＳ３およびステップＳ４を繰り返し実行して、複数ページの画像を表示する。また、制御データＣＤとして、「表示の制御はプロジェクタ側で設定する」ことを示す情報が含まれている場合には、図示しないリモートコントローラ（リモコン）から供給される制御情報に従って、プロジェクションデータレシーバ３２２は、ステップＳ３およびステップＳ４を繰り返し実行して、複数ページの画像を表示する。
【００４６】
なお、以上の説明からわかるように、ＣＰＵ３１０によって実行されるプロジェクションレシーバ３２２が本発明の画像データ受信処理部に相当する。また、投写表示コントローラ４１０および投写表示デバイス４２０が本発明の画像表示部に相当する。
【００４７】
以上説明したように、コンピュータＰＣおよびプロジェクタＰＪにより構成されたプロジェクションシステムにおいては、コンピュータＰＣで実行されるアプリケーションによる印刷命令の発行に従って、プロジェクタＰＪに印刷対象画像を示すプロジェクションデータＰＤおよびプロジェクタＰＪの制御情報を示す制御データＣＤがコンピュータＰＣからプロジェクタＰＪに転送される。そして、プロジェクタＰＪは、転送されたプロジェクションデータＰＤに含まれる画像データを制御データＣＤに従って、投写することが可能となる。
【００４８】
このプロジェクションシステムにおいて、コンピュータＰＣにおいて印刷命令の発行によりプロジェクションデータＰＤおよび制御データＣＤがコンピュータＰＣからプロジェクタＰＪに転送された後、プロジェクタＰＪは、コンピュータＰＣから独立して転送されたプロジェクションデータＰＤおよび制御データＣＤに基づいて投写を実行する。すなわち、コンピュータＰＣは、プロジェクタＰＪの表示動作から開放される。従って、従来の第１の方式における、コンピュータの動作をプロジェクタの表示の制御動作から切り離すことができないという問題がない。
【００４９】
また、このプロジェクションシステムにおいては、コンピュータＰＣからプロジェクタＰＪに転送される画像データは、アプリケーションプログラムに依存したファイルデータ形式ではなく、印刷命令によって出力されるアプリケーションプログラムに依存しない画像データである。従って、第２の方式における、プロジェクタが画像表示を実現するために画像データファイルに対応するビューワが画像データファイルの種類に応じて必要であり、さらに、画像データファイルを作成するアプリケーションプログラムのバージョンに対応するビューワが必要であるという問題もない。
【００５０】
すなわち、このプロジェクションシステムにおいては、従来例で説明した２つの方式の問題点を改善した新たな方式により、コンピュータで生成された画像データの表す画像を投写することが可能である。
【００５１】
Ｂ．プロジェクションシステムの応用例：
図６は、本発明のプロジェクションシステムの別の構成を示すブロック図である。このプロジェクションシステムは、ネットワークＮＷＣに複数のプロジェクタＰＪ１〜ＰＪｎ（ｎは２以上の整数）が接続されている場合を示している。各プロジェクタＰＪ１〜ＰＪｎは、プロジェクタＰＪと同じ構成を有している。
【００５２】
このプロジェクションシステムにおいては、コンピュータＰＣにおいて実行されるアプリケーションプログラム１１０における印刷のダイアログボックスで、出力可能なプロジェクタＰＪ１〜ＰＪｎのなかから、１つを選択して、印刷を実行することにより、選択されたプロジェクタにプロジェクションデータＰＤおよび制御データＣＤが転送される。そして、プロジェクションデータＰＤおよび制御データＣＤが転送されたプロジェクタは、コンピュータＰＣから独立して表示を実行することが可能である。
【００５３】
このようにすれば、例えば、複数の支店に設けられたプロジェクタに対して、本店のコンピュータＰＣで実行されているアプリケーションプログラムにより生成した画像、例えば、宣伝・広告画像の印刷を命令することにより、その画像データを各支店のプロジェクタに転送することができる。そして、各支店のプロジェクタは、同時に転送される制御データに従って、それぞれの支店において、コンピュータＰＣから独立して受信した画像の表示を行うことが可能となる。
【００５４】
Ｃ．変形例：
なお、この発明は上記の実施例や実施形態に限られるものではなく、その要旨を逸脱しない範囲において種々の態様において実施することが可能であり、例えば次のような変形も可能である。
【００５５】
Ｃ１．変形例１：
上記実施例において、コンピュータＰＣとプロジェクタＰＪとは、ネットワークＮＷＣを介して接続されている。しかしながら、これに限定されるものではなく、例えば、ＲＳ−２３２ＣやＵＳＢ等のシリアル通信インタフェース、セントロニクス等のパラレル通信インタフェース、無線通信インタフェースなど、種々の通信インタフェースにより接続される構成としてもよい。
【００５６】
Ｃ２．変形例２：
上記実施例においては、アプリケーションプログラム１１０が印刷命令を発行する場合を例に説明しているが、これに限定されるものではなく、例えば、コンピュータＰＣに接続される外部機器に対して画像データを出力するような任意の命令を発行する場合に、プロジェクションドライバ１３０が画像データを受け取ってプロジェクタＰＪに対して画像データを送信するようにしてもよい。
【００５７】
Ｃ３．変形例３：
上記実施例および変形例においては、プロジェクタを例に説明しているがこれに限定されるものではなく、コンピュータで生成される画像を表示する種々の画像表示装置に適用することが可能である。
【図面の簡単な説明】
【図１】本発明の一実施例としてプロジェクションシステムの構成を示すブロック図である。
【図２】コンピュータＰＣの画像データの生成の処理に関するソフトウェアの構成を概念的に示すブロック図である。
【図３】アプリケーションプログラム１１０がモニタ１５０に表示する印刷のダイアログボックスを示す説明図である。
【図４】プロジェクタＰＪの内部を示す概略ブロック図である。
【図５】プロジェクションデータレシーバ３２２による処理の手順を示すフローチャートである。
【図６】本発明のプロジェクションシステムの別の構成を示すブロック図である。
【符号の説明】
ＰＣ…コンピュータ
１１０…アプリケーションプログラム
１２０…ビデオドライバ
１３０…プロジェクションドライバ
１３２…解像度変換モジュール
１３４…色補正モジュール
１３６…フォーマット変換モジュール
ＬＵＴ…色補正ルックアップテーブル
１４０…通信装置
１５０…モニタ
ＰＪ…プロジェクタ
ＰＪ１〜ＰＪｎ…プロジェクタ
３００…プロジェクションデータ受信部
３１０…ＣＰＵ
３２０…プログラマブルＲＯＭ（ＰＲＯＭ）
３２２…プロジェクションデータレシーバ
３３０…ＲＡＭ
３４０…Ｉ／Ｏ部-
３５０…通信装置
３６０…メモリカードソケット
ＭＣ…メモリカード
３７０…リモコン信号受信装置
４００…投写表示部
４２０…投写表示デバイス
４１０…投写表示コントローラ
４１２…ビデオメモリ
ＮＷＣ…ネットワーク
ＳＣＲ…スクリーン
【図１】
0003661601.tif 000002
【図２】
0003661601.tif 000003
【図３】
0003661601.tif 000004
【図４】
0003661601.tif 000005
【図５】
0003661601.tif 000006
【図６】
0003661601.tif 000007